(57)【要約】【課題】通気層の閉塞を確実にできる状態を維持する。【解決手段】防水部材（１）は、建物の外壁（１５）に設けられた開放部（１５ａ）に通じて、外壁（１５）と対向する面材（１２）との間に形成された通気層（１８）に配置される。防水部材（１）は、柱（１１）に取り付けられるベース部（２）と、弾性を有し、ベース部（２）から張り出すように垂下しているリップ部（３）と、を備えている。【選択図】図２
2018199906.tif 000002
【特許請求の範囲】
【請求項１】
建物の外壁に設けられた開放部に通じて、前記外壁と対向する躯体との間に形成された通気層に配置される防水部材であって、
前記躯体に取り付けられるベース部と、
弾性を有し、前記ベース部から張り出すように垂下して、端部が前記外壁から離れて隙間を形成しているリップ部と、を備えていることを特徴とする防水部材。
【請求項２】
前記ベース部には、前記リップ部の側に突出する突出部が設けられていることを特徴とする請求項１に記載の防水部材。
【請求項３】
前記ベース部は、
前記躯体に取り付けられる取付部と、
当該取付部の上端部と所定の間隔をおいて対向するように設けられた対向部と、
前記取付部および前記対向部を接続する接続部と、
当該対向部に設けられて、前記外壁の裏面に接する止水部と、を有し、
前記接続部には、通気孔が形成されていることを特徴とする請求項１または２に記載の防水部材。
【請求項４】
躯体と、当該躯体と対向して配置される外壁との間に通気層が形成され、当該通気層が前記外壁に設けられた開放部に通じており、
請求項１から３のいずれか１項に記載の防水部材は、前記リップ部の端部が前記外壁の裏面と所定間隔の隙間を形成するように前記通気層に配置されていることを特徴とする外壁開放部の防水構造。
【発明の詳細な説明】
【技術分野】
【０００１】
本発明は、建物の外壁開放部に設けられる防水部材に関する。
【背景技術】
【０００２】
室内の湿気を排出することを主な目的として、建物の外壁の裏面側に空気の流れを生じさせる通気構造が普及してきている。このような通気構造では、建物の外壁と躯体との間に一定間隔の空間を通気層として設けることにより、空気の流れを生じさせている。
【０００３】
また、建物の外壁には、窓部分の開口部にサッシが取り付けられている。一般に、サッシの上部と外壁との間に形成される隙間は、シーリングによって防水処理されている。しかしながら、シーリングの施工不良、シーリング材の劣化などの原因によって、サッシの上側から進入した水が開口部の上部で溜まると、室内側へ漏水する虞がある。
【０００４】
このような不都合を回避するため、例えば、特許文献１には、サッシ上枠と外壁材との間に配設された防水部材の、通気空間（通気層）に対向する面に、１以上の水抜き孔が設けられ、該水抜き孔を覆う可撓性部材が配されている防水構造が開示されている。このような防水構造により、通気層に進入した水を水抜き孔から排出することができる。また、サッシ上枠と外壁材との間に雨水が吹き込む場合、可撓性部材が風圧で押し付けられて水抜き孔を塞ぐことにより、雨水が通気層に進入することを防止できる。
【先行技術文献】
【特許文献】
【０００５】
【特許文献１】特開２００１−１４０３６４号公報（２００１年５月２２日公開）
【発明の概要】
【発明が解決しようとする課題】
【０００６】
しかしながら、上述の構造における可撓性部材は、片持ち梁の構成となっているため、経年劣化が進むと、自重に抗しきれずに初期の姿勢を維持することができなくなって、下方に傾いてしまう。このため、可撓性部材と水抜き孔との間の距離が大きくなって、雨水が吹き込んでも水抜き孔を十分に塞ぐことができなくなるという不都合が生じる。
【０００７】
本発明の一態様は、通気層の閉塞を確実にできる状態を維持することを目的とする。
【課題を解決するための手段】
【０００８】
上記の課題を解決するために、本発明の一態様に係る防水部材は、建物の外壁に設けられた開放部に通じて、前記外壁と対向する躯体との間に形成された通気層に配置される防水部材であって、前記躯体に取り付けられるベース部と、弾性を有し、前記ベース部から張り出すように垂下して、端部が前記外壁から離れて隙間を形成しているリップ部と、を備えている。
【０００９】
上記の構成によれば、リップ部は、ベース部から張り出すように垂下しているので、その先端がベース部と離れている。これにより、ベース部とリップ部の内側との間に下側から風が吹き込むと、リップ部がその風を受けて上方に動く。また、無風の状態では、リップ部がベース部から垂下する初期の姿勢を維持している。したがって、リップ部と外壁との間に隙間を設けておけば、無風状態では、リップ部が動かないために上記の隙間が維持される一方、通気層において下側から風が吹き込む状態ではリップ部が動いて、リップ部の端部が外壁の裏面と接触するために、通気層が塞がれる。このようにリップ部が弁の動作をすることにより、上から落下してくる水を開放部へ排出することができるとともに、下側から吹き上げる水の進入を阻止することができる。
【００１０】
また、リップ部は、ベース部から張り出すように垂下する構造であるので、経年変化が進んでも変形しにくい。これにより、外壁の裏面との間の隙間が広がることが抑制され、通気層の閉塞を長期にわたって確実に行なうことができる。
【００１１】
前記防水部材において、前記ベース部には、前記リップ部の側に突出する突出部が設けられていてもよい。
【００１２】
上記の構成によれば、突出部が、下からの風をリップ部側に導くとともに、リップ部の姿勢を所定の位置に規制する。これにより、リップ部がより強い風圧を受けてリップ部の外壁への密着性を高めることができる。また、リップ部と外壁との間の隙間が広がりすぎることを回避して、リップ部の弁としての機能が低下することを抑制することができる。
【００１３】
前記防水部材において、前記ベース部は、前記躯体に取り付けられる取付部と、当該取付部の上端部と所定の間隔をおいて対向するように設けられた対向部と、前記取付部および前記対向部を接続する接続部と、当該対向部に設けられて、前記外壁の裏面に接する止水部と、を有し、前記接続部には、通気孔が形成されていてもよい。
【００１４】
上記の構成によれば、止水部によってベース部と外壁の裏面との間で止水される。これにより、外壁の裏面が平坦ではなく、凹凸を有していたり、荒れていたりするために、外壁の裏面とリップ部との密着性が十分確保できず、下から吹き上がる水が外壁の裏面とリップ部と間から進入しても、その水が止水部から奥にさらに進入することを阻止することができる。また、接続部には、通気孔が形成されているので、通気層がベース部によって塞がれることはなく、通気層の通気性を確保することができる。
【００１５】
上記の課題を解決するために、本発明の一態様に係る外壁開放部の防水構造は、躯体と、当該躯体と対向して配置される外壁との間に通気層が形成され、当該通気層が前記外壁に設けられた開放部に通じており、上述のいずれかの防水部材は、前記リップ部の端部が前記外壁の裏面と所定間隔の隙間を形成するように前記通気層に配置されている。
【００１６】
上記の構成によれば、無風状態では、リップ部が動かないために上記の隙間が維持される一方、通気層において下側から風が吹き込む状態では、リップ部が動いて外壁の裏面と接触するために、通気層が塞がれる。これにより、上から落下してくる水を開放部へ排出することができるとともに、下側から吹き上げる水の進入を阻止することができる。
【発明の効果】
【００１７】
本発明の一態様によれば、通気層の閉塞を確実にできる状態を維持することができるという効果を奏する。
【図面の簡単な説明】
【００１８】
【図１】本発明の実施形態１または２に係る、外壁の開放部（窓サッシ）を含む建物の一部の構造を示す部分断面図である。
【図２】（ａ）は本発明の実施形態１に係る防水部材の構造を示す側面図であり、（ｂ）は当該防水部材を含む外壁開放部の防水構造を示す図１のＸ−Ｘ線矢視断面図である。
【図３】（ａ）〜（ｃ）は本発明の実施形態１に係る他の防水部材の構造を示す側面図である。
【図４】（ａ）は本発明の実施形態２に係る防水部材の構造を示す側面図であり、（ｂ）は当該防水部材を含む外壁開放部の防水構造を示す図１のＸ−Ｘ線矢視断面図であり、（ｃ）は上記防水構造を示す斜視図である。
【図５】本発明の実施形態１および２に係る外壁開放部の防水構造を試験する試験装置の構成を示す縦断面図である。
【発明を実施するための形態】
【００１９】
〔実施形態１〕
本発明の実施形態１について図１〜図３に基づいて説明すれば、以下の通りである。図１は、実施形態１に係る、外壁の開放部を含む建物の一部の構造を示す部分断面図である。
【００２０】
図１に示すように、建物において、石膏ボードや合板からなる構造用の面材１２（躯体）には、防水シート１３が貼り付けられている。防水シート１３上には、複数の通気胴縁１４が間隔をおいて配置されている。通気胴縁１４には、外壁１５が固定されている。
【００２１】
面材１２にはサッシ枠等１６が取り付けられている。サッシ枠等１６は、面材１２に固定される固定部１６ａと、固定部１６ａから突き出すように形成された突き出し部１６ｂとを有している。突き出し部１６ｂは、外壁１５に形成された開放部１５ａに露出している。
【００２２】
開放部１５ａの端面と、当該端面と対向する突き出し部１６ｂとの間には、サッシ枠等１６の全周にわたって枠状隙間が形成されている。この枠状隙間において、サッシ枠等１６の鉛直方向に伸びる両側部に沿った部分と、サッシ枠等１６の水平方向に伸びる下部に沿った部分とがコーキング剤によってシールされている。また、上記の枠状隙間において、サッシ枠等１６の水平方向に伸びる上部に沿った部分はシールされておらず開放しており、直線状隙間１７を形成している。
【００２３】
サッシ枠等１６の上部の上方には、防水部材１が配置され、防水部材１の両端の側方には、防水部材１の両端の止水を図るスポンジ１１が設けられている。防水部材１は、直線状隙間１７から吹き込む水が、後述する通気層１８（図２の（ａ）参照）へ進入することを防止するとともに、通気層１８と外部との通気性を確保するために設けられている。
【００２４】
続いて、防水部材１について詳細に説明する。図２の（ａ）は、実施形態１に係る防水部材１の構造を示す側面図であり、図２の（ｂ）は、防水部材１を含む外壁開放部の防水構造を示す図１のＸ−Ｘ線矢視断面図である。
【００２５】
図２の（ａ）および（ｂ）に示すように、防水部材１は、面材１２に固定されるベース部２と、ベース部２から垂下するように設けられたリップ部３とを有している。また、防水部材１は、面材１２と外壁１５との間に形成された通気層１８に配置されている。具体的には、防水部材１は、防水シート１３における外壁１５側の面上に配置され、ビス１９によって面材１２に固定されている。ここで、防水シート１３の直線状隙間１７側の下端部は、ブチルテープ２０によってサッシ枠等１６の固定部１６ａに貼り付けられている。
【００２６】
ベース部２は、図１に示すように、所定の幅を有するとともに、サッシ枠等１６の上部よりやや狭い長さを有する帯状に形成されている。ベース部２における面材１２に固定される面（固定面）の上側半分部には、粘着テープ４が設けられている。粘着テープ４としては、ブチルテープ、両面テープなどが用いられる。
【００２７】
ベース部２は、硬質樹脂（硬質塩化ビニル、ポリプロピレン（ＰＰ）樹脂、ポリエチレンなど）の押し出し成形によって形成されている。ベース部２は、剛性を備える観点から１〜１．５ｍｍ程度の厚さに形成される。硬質樹脂を安定して押し出し成形するには、ベース部２を１ｍｍ前後の厚さにすることが好ましい。
【００２８】
リップ部３は、支持部３ａと、垂下部３ｂとを有しており、ベース部２の全長にわたって設けられている。支持部３ａは、ベース部２の固定面とは反対側の表面のほぼ中央部に設けられている。垂下部３ｂは、支持部３ａのほぼ中央部に支持されている。
【００２９】
垂下部３ｂは、支持部３ａ（ベース部２）から突き出して湾曲するように垂下している。具体的には、リップ部３は、支持部３ａから下方に向かうにつれてベース部２との間隔が広くなり、端部でほぼベース部２との間隔が平行になるように形成されている。これにより、垂下部３ｂの端部はベース部２とほぼ一定の間隔をおいて離れている。また、リップ部３の端部と外壁１５の裏面との間には隙間Ｇが形成されている。隙間Ｇは、通気層１８における通気性が十分確保できる所定間隔（３〜５ｍｍ程度）に設定されている。
【００３０】
リップ部３は、弾性を有しており、軟質樹脂（ＴＰＯ（オレフィン系熱可塑性エラストマー）樹脂、ＥＰＤＭ（エチレンプロピレンジエンゴム）、軟質塩化ビニルなど）の押し出し成形によって形成される。リップ部３は、動きやすさの観点から薄肉（例えば０．８ｍｍ程度）に形成されることが望ましい。しかしながら、リップ部３は、薄肉過ぎると、上記のような湾曲した形状を保持できなかったり、口金からの押し出し成形が安定してできなかったりする。
【００３１】
ところで、ベース部２は、ベース部２の表面における下側の中央部分に、突出部２ａが設けられている。突出部２ａは、ベース部２の全長にわたりベース部２の表面に対して垂直に所定の幅で突出するように形成されている。また、突出部２ａの端部は、垂下部３ｂの内側面と所定の間隔をおくように形成されている。
【００３２】
リップ部３は、上記のように異なる樹脂材料から形成されているため、共押出によって成形される。
【００３３】
以上の構造において、無風状態では、直線状隙間１７から風が吹き込まないので、リップ部３の垂下部３ｂは湾曲した初期の姿勢を維持している。これにより、垂下部３ｂの端部と外壁１５の裏面との間の隙間Ｇが所定間隔に維持される。それゆえ、通気層１８においては、温度差などによる通常の空気の流れが生じる。したがって、室内から放出された湿気は、通気層１８内の空気の流れによって直線状隙間１７から外部に排出される。また、通気層１８に進入した水は、隙間Ｇを介して直線状隙間１７から外部に排出される。
【００３４】
一方、激しい風雨や外壁洗浄などによって直線状隙間１７から水が吹き込む状態では、リップ部３の垂下部３ｂは、直線状隙間１７からの吹き上げによる圧力により、図２の（ｂ）に二点鎖線にて示すように外壁１５側に動く。これにより、垂下部３ｂの端部が外壁１５の裏面に押し付けられるようにして接触する。このようにして、垂下部３ｂは、通気層１８を塞ぐことにより、下からの水の進入を阻止する。
【００３５】
また、垂下部３ｂが何らかの原因によって通常時の姿勢を維持できなくなって、ベース部２側に近づこうとしても、ベース部２に設けられた突出部２ａが、垂下部３ｂに当接することで垂下部３ｂを支えるので、垂下部３ｂはその位置での姿勢を維持することができる。これにより、リップ部３と外壁１５との間の隙間が広がりすぎることを回避して、リップ部３の弁としての機能が低下することを抑制することができる。しかも、突出部２ａは、下からの風を垂下部３ｂに導くので、リップ部３は、より強い風圧を受けて外壁への密着性を高めることができる。
【００３６】
ところで、防水部材１は、図２に示すような構造には限定されない。図３の（ａ）〜（ｃ）は、実施形態１に係る他の防水部材１Ａ〜１Ｃの構造を示す側面図である。
【００３７】
図３の（ａ）に示す防水部材１Ａは、ベース部２Ａと、リップ部３Ａとを備えている。ベース部２Ａの固定面には、粘着テープ４が設けられている。また、ベース部２Ａの表面には、突出部２Ａａが形成されている。突出部２Ａａは、端部が根元部よりも下方に位置するように傾斜している。リップ部３Ａは、防水部材１のリップ部３における支持部３ａを有しておらず、垂下部３ｂと同じ形状に形成されている。ベース部２Ａは前述の硬質樹脂によって形成され、リップ部３Ａは前述の軟質樹脂によって形成されている。
【００３８】
上記のように構成される防水部材１Ａでは、突出部２Ａａが傾斜しているので、リップ部３Ａのより端部に近い側に風圧を作用させることができ、リップ部３Ａの外壁１５への密着性をより高めることができる。
【００３９】
図３の（ｂ）に示す防水部材１Ｂは、取付部５と、ベース部２Ｂと、リップ部３Ｂとを備えている。取付部５は、前述のビス１９によって面材１２に取り付けられる部分であり、前述の硬質樹脂によって形成されている。ベース部２Ｂは、上端部が取付部５と接続されている。また、ベース部２Ｂのリップ部３Ｂに対向する面には、突出部２Ｂａが形成されている。突出部２Ｂａは、防水部材１Ａの突出部２Ａａほどではないが、端部が根元部よりも下方に位置するようにわずかに傾斜している。リップ部３Ｂは、防水部材１の垂下部３ｂと比べて、湾曲する曲率が大きく、かつ幅広に形成されている。ベース部２Ｂおよびリップ部３Ｂは、前述の軟質樹脂によって一体に形成されている。
【００４０】
上記のように構成される防水部材１Ｂでは、リップ部３Ｂが幅広に形成されているので、リップ部３Ｂが外壁１５の裏面に接する範囲を広くすることができる。これにより、リップ部３Ｂの外壁１５への密着性をより高めることができる。
【００４１】
図３の（ｃ）に示す防水部材１Ｃは、ベース部２Ｃと、リップ部３とを備えている。ベース部２Ｃの固定面には、防水部材１のベース部２と同様に粘着テープ４が設けられている。また、ベース部２Ｃには、突出部が設けられていない。
【００４２】
上記のように構成される防水部材１Ｃでは、ベース部２Ｃに突出部が設けられていないので、防水部材１の突出部２ａによる効果は得られない。しかしながら、リップ部３の形成材料、厚さなどを適宜選択することによって、リップ部３の初期姿勢を長期にわたって維持することができる。
【００４３】
〔実施形態２〕
本発明の実施形態２について、図１および図４に基づいて説明すれば、以下のとおりである。なお、説明の便宜上、実施形態１にて説明した部材と同じ機能を有する部材については、同じ符号を付記し、その説明を省略する。
【００４４】
図４の（ａ）は、実施形態２に係る防水部材１Ｄの構造を示す側面図であり、図４の（ｂ）は防水部材１Ｄを含む外壁開放部の防水構造を示す図１のＸ−Ｘ線矢視断面図であり、図４の（ｃ）は上記防水構造を示す斜視図である。
【００４５】
図４の（ａ）〜（ｃ）に示すように、防水部材１Ｄは、面材１２に固定されるベース部２Ｄと、ベース部２Ｄから垂下するように設けられたリップ部３と、止水部６とを有しており、共押出によって形成されている。また、防水部材１Ｄは通気層１８に配置されている。具体的には、防水部材１Ｄは、防水シート１３における外壁１５側の面上に配置され、粘着テープ４によって面材１２に固定されている。
【００４６】
ベース部２Ｄは、前述の防水部材１のベース部２と同じ長さを有しており、取付部２１と、対向部２２と、接続部２３とを有している。
【００４７】
取付部２１は、面材１２に取り付けられる部分であり、本体部２１ａと、補強部２１ｂとを含んでいる。本体部２１ａは、防水部材１のベース部２と同じ幅および長さを有する帯状に形成されている、補強部２１ｂは、本体部２１ａの粘着テープ４が設けられた固定面とは反対側の表面の上端側に狭い幅で設けられている。
【００４８】
対向部２２は、取付部２１の上端部と所定の間隔をおいて対向するように設けられており、外側部２２ａと、内側部２２ｂとを含んでいる。外側部２２ａは、外壁１５の裏面に接するように配置されている。内側部２２ｂは、外側部２２ａが外壁１５と接する面とは反対側の面に接続されている。内側部２２ｂは、内側部２２ｂの上端が外側部２２ａの上端よりも上方に位置するように設けられている。
【００４９】
接続部２３は、取付部２１および対向部２２を接続する部分であり、取付部２１の上端と対向部２２の内側部２２ｂの上端とを接続している。接続部２３には、その厚さ方向に貫通する複数の通気孔２３ａが接続部２３の長手方向に間隔をおいて形成されている。
【００５０】
止水部６は、図４の（ａ）に示すように、外側部２２ａと内側部２２ｂとで形成される段差部分に、外側部２２ａにおける外壁１５との接触面に対して突出するように配置されている。止水部６は、ＥＰＤＭ連泡スポンジなどのスポンジのような変形しやすい柔らかい材料によって形成されている。止水部６は、このような柔らかい材料で形成されることにより、図４の（ｂ）および（ｃ）に示すように、防水部材１Ｄが外壁１５と面材１２との間に配置された状態では、外壁１５の裏面に押し当てられて圧縮される。
【００５１】
上記の構造においては、外壁１５の裏面が平坦ではなく、凹凸を有していたり荒れていたりする場合、外壁１５の裏面とリップ部３との密着性が十分確保できず、下から吹き上がる水が外壁１５の裏面とリップ部３との間から進入する。しかし、止水部６が外壁１５の裏面に密着しているので、ベース部２Ｄと外壁１５の裏面との間で吹き上がる水の進入が止水部６で阻止される。また、接続部２３の通気孔２３ａにより、通気層１８がベース部２Ｄによって塞がれることはなく、通気層１８の通気性を確保することができる。
また、止水部６がスポンジからなるので、外壁１５の凹凸を有する内面や、外壁１５の荒れた内面にも良好に密着する。これにより、外壁１５の内面とベース部２Ｄとの間をより確実に止水することができる。
【００５２】
〔動風圧水密試験〕
実施形態１および２における防水構造に動風圧水密試験（ＪＩＳ Ａ １５１７）を実施した結果について、図５を参照して説明する。
【００５３】
図５は、実施形態１および２に係る外壁開放部の防水構造を試験する試験装置の構成を示す縦断面図である。
【００５４】
図５に示すように、試験装置において、圧力箱３１には、圧力調節機３２を介して送風機３３から風が送られる。この風には、脈動圧発生装置３４による脈動圧が付与される。また、圧力箱３１内に設けられた水噴霧装置３５は、貯水槽３６に蓄えられた水が水ポンプ３７を介して供給され、試験体取付枠３８に取り付けられた試験体Ｔに噴霧する。このように試験装置は、試験体Ｔの曝露面に対して風圧と散水とが同時に与えられる。
【００５５】
試験体Ｔとして、図１に示す構造を実施形態１および２について圧力箱３１に取り付け可能な所定の大きさで作製した。また、比較例の試験体Ｔとして、図１に示す構造において防水部材１を省略したもの（比較例１）と、図１に示す構造において防水部材１の代わりに市販されているハニカム構造を有する樹脂製の通気部材を用いたもの（比較例２）とを用意した。上記の試験装置を用いて、水密等級Ｗ−２（１５０Ｐａ）、Ｗ−３（２５０Ｐａ）、Ｗ−４（３５０Ｐａ）の条件で各試験体Ｔに水密試験を行なった。
【００５６】
水密試験の結果、比較例１に係る試験体Ｔでは、いずれの水密等級でも通気層１８に著しい吹き上げが生じ、裏面への漏水が確認された。また、比較例２に係る試験体Ｔでは、水密等級Ｗ−２で通気層１８に吹き上げが生じ、水密等級Ｗ−３，Ｗ−４で通気層１８に著しい吹き上げが生じ、いずれも裏面への漏水が確認された。
【００５７】
これに対し、実施形態１および２に係る試験体Ｔでは、いずれの水密等級でも通気層１８への吹き上げはなく、裏面への漏水は確認されなかった。これらの試験体Ｔにおいて、リップ部３の裏面は濡れていたが、リップ部３を超えて通気層１８へ進入した水飛沫はなく、水密性が確保できていることが確認された。
【００５８】
このように、実施形態１および２に係る防水構造は、直線状隙間１７からの水の吹き込みに対して、通気層１８への進入を防止できる効果が顕著であることがわかった。
【００５９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６０】
なお、開放部１５ａはサッシ枠等１６の突き出し部１６ｂと外壁１５との間に形成されるとしたが、これに限らず通気層１８に連続するものであれば建物のどの箇所にあっても良い。例えば、外壁１５下端の下端水切りと外壁１５との間や、下屋等の屋根と外壁１５とが取り合う部分における屋根部材と外壁１５との間に形成されるものであっても良い。
【符号の説明】
【００６１】
１，１Ａ〜１Ｄ  防水部材
２，２Ａ〜２Ｄ  ベース部
２ａ，２Ａａ，２Ｂａ  突出部
３，３Ａ，３Ｂ  リップ部
６  止水部
１２  面材（躯体）
１５  外壁
１５ａ  開放部
１８  通気層
２１  取付部
２２  対向部
２３  接続部
Ｇ  隙間
【図１】
2018199906.tif 000003
【図２】
2018199906.tif 000004
【図３】
2018199906.tif 000005
【図４】
2018199906.tif 000006
【図５】
2018199906.tif 000007